(57)【要約】【課題】刷版自動着脱装置によって版胴に刷版を装着させる場合において、版胴に対する刷版の装着精度を維持しつつ、刷版の破損を防止することが可能な刷版、版胴及び印刷ユニットを提供する。【解決手段】軸方向に沿って延びる刷版装着溝及び刷版装着溝に設けられたレジスターピンを有する版胴本体に装着される刷版であって、刷版装着溝の咥え側エッジ部に係止可能に構成された咥え側端部と、刷版装着溝内に設けられた刷版締め付け機構に係止可能に構成された咥え尻側端部とを有し、咥え側端部及び咥え尻側端部は、レジスターピンに係合可能な切り欠き部を有し、咥え尻側端部の切り欠き部は、咥え側端部の切り欠き部よりも広い開口幅を有する。【選択図】図３
2018187781.tif 000002
【特許請求の範囲】
【請求項１】
軸方向に沿って延びる刷版装着溝及び該刷版装着溝に設けられたレジスターピンを有する版胴本体に装着される刷版であって、
前記刷版装着溝の咥え側エッジ部に係止可能に構成された咥え側端部と、
前記刷版装着溝内に設けられた刷版締め付け機構に係止可能に構成された咥え尻側端部と
を有し、
前記咥え側端部及び前記咥え尻側端部は、前記レジスターピンに係合可能な切り欠き部を有し、
前記咥え尻側端部の前記切り欠き部は、前記咥え側端部の切り欠き部よりも広い開口幅を有する
ことを特徴とする刷版。
【請求項２】
請求項１に記載の刷版と、
軸方向に沿って延びる刷版装着溝及び該刷版装着溝に設けられたレジスターピンを有する版胴本体と、
前記版胴本体の前記刷版装着溝内に設けられた刷版締め付け機構と
を備える版胴であって、
前記咥え側端部の前記切り欠き部は、前記レジスターピンの幅と同寸法の開口幅を有する
ことを特徴とする版胴。
【請求項３】
請求項２に記載の版胴と、
印刷用ブランケットが装着されるブランケット胴と、
前記版胴の前記刷版を介して前記ブランケット胴の前記印刷用ブランケットにインキを供給するインキ供給装置と、
前記版胴本体に対して前記刷版を着脱させる刷版自動着脱装置と
を備える印刷ユニットであって、
前記刷版自動着脱装置は、前記版胴本体に対する前記刷版の装着時において、前記刷版装着溝の咥え側エッジ部に前記刷版の前記咥え側端部が係止された状態で順方向に回転する前記版胴本体に対して該刷版を押し付け、かつ、該刷版装着溝に到達した該刷版の前記咥え尻側端部を該刷版装着溝に押し込むことで、該咥え尻側端部に形成された前記切り欠き部を前記レジスターピンに係合させるよう構成されている
ことを特徴とする印刷ユニット。
【発明の詳細な説明】
【技術分野】
【０００１】
本発明は、オフセット輪転印刷機に用いられる刷版、版胴及び印刷ユニットに関するものである。
【背景技術】
【０００２】
従来、新聞用オフセット輪転印刷機に用いられる印刷ユニットは、多数のインキ供給ローラーを有するインキ供給装置と、湿し水を供給する湿し水供給装置と、刷版が装着される版胴と、ブランケットが装着されるブランケット胴とを備えている。この印刷ユニットに用いられる刷版には、親油性の印刷画線部と、親水性の非画線部とが設けられており、親水性の非画線部に湿し水供給装置から湿し水が供給された状態でインキ供給装置からインキが供給されることにより、親油性の印刷画線部のみにインキが塗布されるよう構成されている。そして、この印刷ユニットは、インキ供給装置から供給されたインキが版胴を介してブランケット胴に供給され、ブランケット胴が走行する連続紙と所定の圧力で接触することにより、連続紙に刷版の内容（文字や画像等）が転写されるよう構成されている。
【０００３】
従来の版胴１００は、４頁分の刷版１１０を並べて装着可能な軸方向の長さを有する印刷胴であり、図８及び図９に示すように、軸方向に沿って延びる刷版装着溝１０２と、刷版装着溝１０２に連続する内部空間である収容部１０４と、刷版装着溝１０２に設けられたレジスターピン１０６（図９参照）とを有している。収容部１０４には、刷版１１０の咥え尻側端部１１４を刷版装着溝１０２内に引き込むことで、刷版１１０を版胴１００の周面に巻き付けるよう構成された刷版締め付け機構（図示せず）が埋設されている。レジスターピン１０６は、版胴１００に対する刷版１１０の取付位置を特定するためのピン部材であり、１つの刷版１１０に対して１つ設けられている。なお、図９では、１頁分の刷版１１０に対応する領域のみを拡大して示している。
【０００４】
従来の刷版１１０は、長手方向の一端部に、版胴１００の刷版装着溝１０２の一方側の咥え側エッジ部１０２ａに係止可能な咥え側端部１１２を有し、他端部に、刷版締め付け機構によって刷版装着溝１０２内に引き込まれるよう構成された咥え尻側端部１１４を有している。刷版１１０の咥え側端部１１２及び咥え尻側端部１１４には、それぞれ、版胴１００のレジスターピン１０６に嵌合可能な切り欠き部１１３，１１５が形成されており、これら切り欠き部１１３，１１５をレジスターピン１０６に嵌合させることにより、刷版１１０の位置決めを行うよう構成されている。
【０００５】
このような従来の新聞用オフセット輪転印刷機では、刷版１１０の交換によって、印刷画像の変更が行われる。しかしながら、このような刷版１１０の交換作業は、複数の版胴１００に対して行う必要があると共に、版胴１００毎に４頁分の刷版１１０を交換する必要があるため、煩雑であり、作業負担が大きいという問題がある。
【０００６】
このような問題を解決するために、近年、版胴１００に対して刷版１１０を自動で装着する刷版自動着脱装置が提案されている（特許文献１参照）。特許文献１の刷版自動着脱装置は、図１０（ａ）〜図１０（ｄ）に示すように、版胴１００の咥え側エッジ部１０２ａに手作業で刷版１１０の咥え側端部１１２を係止させ、次に水着けローラー１２０を版胴１００に圧接させた状態で版胴１００を正回転させることで、刷版１１０を版胴１００と水着けローラー１２０との間を通過させて、版胴１００の外周面に密着させつつ咥え尻側端部１１４を刷版装着溝１０２内に挿入させるよう構成されている。なお、図１０（ａ）は、版胴１００が停止した状態で、手作業によって、刷版１１０の咥え側端部１１２を版胴１００の咥え側エッジ部１０２ａに係止させた状態を示しており、図１０（ｂ）は、水着けローラー１２０を版胴１００に圧接させた状態を示している。また、図１０（ｃ）は、刷版自動着脱装置のレバー押さえローラーによって刷版締め付け機構を作動させた状態を示しており、図１０（ｄ）は、版胴１００に対する刷版１１０の装着が完了した状態を示している。
【０００７】
特許文献１の刷版自動着脱装置は、このような構成を備えることにより、版胴１００の回転中に刷版１１０の咥え側端部１１２を咥え側エッジ部１０２ａに確実に係止させ、意図しない脱落を防止することが可能となるため、刷版１１０を版胴１００の外周面に密着状態で装着させることができる。また、特許文献１の刷版自動着脱装置は、水着けローラー１２０を版押さえローラーとして活用することにより、別に専用の版押さえローラーを設ける場合と比較して、装置構成を簡素化することができる。
【先行技術文献】
【特許文献】
【０００８】
【特許文献１】特開２００５−１６１８１８号公報
【発明の概要】
【発明が解決しようとする課題】
【０００９】
しかしながら、従来の刷版１１０は、版胴１００の周方向に対して斜めに傾いた状態で巻き付いてしまう装着不良や、印刷稼働時のガタツキ等を防止するために、咥え側端部１１２及び咥え尻側端部１１４の切り欠き部１１３，１１５の開口幅がレジスターピン１０６の幅と同寸法となるよう形成されている。このため、刷版自動着脱装置によって咥え尻側端部１１４の切り欠き部１１５をレジスターピン１０６に嵌合させる際に、咥え尻側端部１１４の切り欠き部１１５とレジスターピン１０６との位置が僅かにずれただけでも、咥え尻側端部１１４がレジスターピン１０６と干渉し、咥え尻側端部１１４の破損や、刷版１１０の装着不良に伴う見当精度不良を引き起こすおそれがある。また、咥え尻側端部１１４がレジスターピン１０６と干渉した状態で印刷が開始されると、干渉部位に対する応力集中によって版切れ等の事故が起きるおそれがある。
【００１０】
一方、レジスターピン１０６に対する干渉を避けるために咥え側端部１１２及び咥え尻側端部１１４の切り欠き部１１３，１１５の開口幅をレジスターピン１０６の幅よりも大きく形成すると、版胴１００に対して斜めに巻き付いてしまうおそれがあると共に、印刷稼働時にガタツキが生じるおそれがあるため、版胴１００に対する装着精度を維持することが困難であるという問題が生じる。
【００１１】
本発明は、上述した従来技術の問題点に鑑みてなされたものであり、その目的は、刷版自動着脱装置によって版胴に刷版を装着させる場合において、版胴に対する刷版の装着精度を維持しつつ、刷版の破損を防止することが可能な刷版、版胴及び印刷ユニットを提供することにある。
【課題を解決するための手段】
【００１２】
本発明に係る刷版は、軸方向に沿って延びる刷版装着溝及び該刷版装着溝に設けられたレジスターピンを有する版胴本体に装着される刷版であって、前記刷版装着溝の咥え側エッジ部に係止可能に構成された咥え側端部と、前記刷版装着溝内に設けられた刷版締め付け機構に係止可能に構成された咥え尻側端部とを有し、前記咥え側端部及び前記咥え尻側端部は、前記レジスターピンに係合可能な切り欠き部を有し、前記咥え尻側端部の前記切り欠き部は、前記咥え側端部の切り欠き部よりも広い開口幅を有することを特徴とする。
【００１３】
本発明に係る版胴は、上述した刷版と、軸方向に沿って延びる刷版装着溝及び該刷版装着溝に設けられたレジスターピンを有する版胴本体と、前記版胴本体の前記刷版装着溝内に設けられた刷版締め付け機構とを備える版胴であって、前記咥え側端部の前記切り欠き部は、前記レジスターピンの幅と同寸法の開口幅を有することを特徴とする。
【００１４】
本発明に係る印刷ユニットは、上述した版胴と、印刷用ブランケットが装着されるブランケット胴と、前記版胴の前記刷版を介して前記ブランケット胴の前記印刷用ブランケットにインキを供給するインキ供給装置と、前記版胴本体に対して前記刷版を着脱させる刷版自動着脱装置とを備える印刷ユニットであって、前記刷版自動着脱装置は、前記版胴本体に対する前記刷版の装着時において、前記刷版装着溝の咥え側エッジ部に前記刷版の前記咥え側端部が係止された状態で順方向に回転する前記版胴本体に対して該刷版を押し付け、かつ、該刷版装着溝に到達した該刷版の前記咥え尻側端部を該刷版装着溝に押し込むことで、該咥え尻側端部に形成された前記切り欠き部を前記レジスターピンに係合させるよう構成されていることを特徴とする。
【発明の効果】
【００１５】
本発明によれば、刷版自動着脱装置によって版胴に刷版を装着させる場合において、版胴に対する刷版の装着精度を維持しつつ、刷版の破損を防止することが可能な刷版、版胴及び印刷ユニットを提供することができる。
【図面の簡単な説明】
【００１６】
【図１】本実施形態に係る印刷ユニットの概略構成を示す図である。
【図２】本実施形態に係る版胴及び刷版自動着脱装置の概略構成を示す図である。
【図３】本実施形態に係る刷版の概略構成を示す図である。
【図４】図４（ａ）は、後退状態における刷版押さえ機構の概略構成を示す側面図であり、図４（ｂ）は、前進状態における刷版押さえ機構の概略構成を示す側面図である。
【図５】図５（ａ）〜図５（ｃ）は、版掛工程における刷版押さえ機構、版胴及び刷版の状態を概略的に示す工程図である。
【図６】版胴に対する刷版の装着時における刷版着脱操作機構の概略構成を示す側面図であり、図６（ａ）は、後退状態における刷版着脱操作機構の概略構成を示しており、図６（ｂ）は、前進状態における刷版着脱操作機構の概略構成を示している。
【図７】版胴に対する刷版の取り外し時における刷版着脱操作機構の概略構成を示す側面図であり、図７（ａ）は、後退状態における刷版着脱操作機構の概略構成を示しており、図７（ｂ）は、前進状態における刷版着脱操作機構の概略構成を示している。
【図８】従来の版胴及び刷版の概略構成を示す図である。
【図９】従来の版胴及び刷版の概略構成を部分的に拡大して示す図である。
【図１０】図１０（ａ）〜図１０（ｄ）は、特許文献１に記載の刷版自動着脱装置の概略構成を示す図である。
【発明を実施するための形態】
【００１７】
以下、本発明を実施するための好適な実施形態について、図面を用いて説明する。なお、以下の実施形態は、各請求項に係る発明を限定するものではなく、また、実施形態の中で説明されている特徴の組み合わせの全てが発明の解決手段に必須であるとは限らない。
【００１８】
本実施形態に係るオフセット輪転印刷機は、連続紙（被印刷体）をロール状に巻いたロール紙をセットする連続紙供給ユニット（図示せず）と、連続紙供給ユニットから供給される連続紙の両面にオフセット印刷を施す複数の印刷ユニット１ａ，１ｂと、オフセット印刷後の連続紙を断裁して個々の枚葉状シートを形成すると共に、一枚の枚葉状シート又は複数の枚葉状シートからなる枚葉状シート群を折り畳んで折丁を形成する折機（図示せず）と、折機により形成された折丁を更に二つ折りする等の所定の処理を行い集積する後処理機構（図示せず）と、各構成の各種制御を実行する一又は複数の制御部（図示せず）と、各種設定情報を入力するための設定入力部（図示せず）とを備えている。なお、本実施形態に係るオフセット輪転印刷機において、連続紙供給ユニット、折機、後処理機構、制御部及び設定入力部は、種々の公知のものを任意に用いることができるため、その説明を省略する。
【００１９】
上段印刷ユニット１ａ及び下段印刷ユニット１ｂは、それぞれ、図１に示すように、多数のインキ供給ローラーを有する一対のインキ供給装置４と、湿し水を供給する一対の湿し水供給装置５と、刷版７Ａ〜７Ｄが装着された一対の版胴２と、印刷用ブランケット（図示せず）が装着された一対のブランケット胴３と、操作側の版胴２に近接して配置された刷版自動着脱装置１０とを備えている。また、上段印刷ユニット１ａ及び下段印刷ユニット１ｂは、共通の構成として、各構成の各種制御を実行する印刷制御部（図示せず）を備えている。各印刷ユニット１ａ，１ｂは、従来の印刷ユニットと同様に、インキ供給装置４から供給されたインキが版胴２の刷版７Ａ〜７Ｄを介してブランケット胴３の印刷用ブランケットに供給され、印刷用ブランケットが走行する連続紙（被印刷体）と所定の圧力で接触することにより、連続紙に刷版の内容（文字や画像等）が転写されるよう構成されている。なお、本実施形態に係るオフセット輪転印刷機において、インキ供給装置４、湿し水供給装置５及びブランケット胴３は、種々の公知のものを任意に用いることができるため、その説明を省略する。
【００２０】
版胴２は、図２に示すように、軸方向に沿って延びる直線状の刷版装着溝６ｂ及びこの刷版装着溝６ｂから径方向内側に延びる内部空間である収容部（図示せず）が形成された円柱状の版胴本体６と、版胴本体６の収容部内に埋設された刷版締め付け機構５０と、刷版締め付け機構５０によって版胴本体６の外周面に装着される刷版７Ａ〜７Ｄとを備えている。
【００２１】
版胴本体６は、円柱状に形成された印刷胴であり、図２に示すように、両端部にそれぞれ設けられた取付け軸６ａと、４頁分の刷版７Ａ〜７Ｄを軸方向に並べて装着可能な刷版装着領域Ｒを有する周面と、軸方向に沿って延びる刷版装着溝６ｂと、刷版装着溝６ｂに連続する内部空間である収容部（図示せず）と、刷版装着領域Ｒよりも端部側にそれぞれ形成された操作開口部６ｃと、刷版装着溝６ｂに設けられた複数の（本実施形態では４つの）レジスターピン６ｄとを有している。本実施形態において、版胴本体６は、その周面が、新聞１頁の横方向の長さの４倍に略等しい軸方向の長さ（Ｗ）と、新聞１頁の縦方向の長さと略等しい周方向の長さ（Ｌ）とを有する、所謂４（Ｗ）×１（Ｌ）型の版胴である。
【００２２】
版胴本体６は、図２に示すように、両端部の取付け軸６ａが軸受け（図示せず）を介して一対のフレームＦ，Ｆに取り付けられ、一方の取付け軸６ａに接続された回転駆動手段（図示せず）により所定の速度で回転駆動されるよう構成されている。
【００２３】
レジスターピン６ｄは、版胴本体６に対する刷版７Ａ〜７Ｄの取付位置を特定するためのピン部材であり、１つの刷版に対して１つ（本実施形態では、１頁分の刷版を軸方向に４枚並べて装着する構成であるため、版胴本体６の軸方向に所定の間隔をおいて４つ）設けられている。レジスターピン６ｄの幅は、刷版７Ａ〜７Ｄの咥え側端部７ａの切り欠き部８ａの開口幅Ｗ１と同寸法で、かつ、刷版７Ａ〜７Ｄの咥え尻側端部７ｂの切り欠き部８ｂの開口幅Ｗ２よりも小さい寸法を有している。このようなレジスターピン６ｄの幅Ｗ１は、任意に設定することが可能であり、例えば８．５ｍｍに設定することが可能である。
【００２４】
収容部には、刷版７Ａ〜７Ｄの咥え尻側端部７ｂを刷版装着溝６ｂ内に引き込むことで、刷版７Ａ〜７Ｄを版胴本体６の周面に巻き付けるよう構成された刷版締め付け機構５０が埋設されている。操作開口部６ｃは、刷版締め付け機構５０の第１〜第４操作機構５２ａ〜５２ｄを操作するための開口である。なお、本実施形態に係るオフセット輪転印刷機において、版胴本体６は、種々の公知のものを任意に用いることができるため、その詳細な説明を省略する。
【００２５】
刷版７Ａ〜７Ｄは、新聞１頁に相当する大きさを有する可撓性の金属製薄板材から形成されており、図３に示すように、長手方向の一端部に、版胴本体６の刷版装着溝６ｂの一方側のエッジ部（咥え側エッジ部）に係止可能な咥え側端部７ａを有し、他端部に、刷版締め付け機構５０によって刷版装着溝６ｂ内に引き込まれるよう構成された咥え尻側端部７ｂを有している。刷版７Ａ〜７Ｄの咥え側端部７ａ及び咥え尻側端部７ｂには、それぞれ、版胴本体６のレジスターピン６ｄに係合可能な切り欠き部８ａ，８ｂが形成されており、これら切り欠き部８ａ，８ｂをレジスターピン６ｄに係合させることにより、刷版７Ａ〜７Ｄの位置決めを行うよう構成されている。
【００２６】
刷版７Ａ〜７Ｄの咥え側端部７ａの切り欠き部８ａは、レジスターピン６ｄの幅と同寸法の開口幅Ｗ１を有しており、レジスターピン６ｄに隙間無く嵌合するよう構成されている。刷版７Ａ〜７Ｄの咥え尻側端部７ｂの切り欠き部８ｂは、レジスターピン６ｄの幅及び咥え側端部７ａの切り欠き部８ａの開口幅Ｗ１よりも広い開口幅Ｗ２を有しており、レジスターピン６ｄとの間に僅かな隙間を有した状態でレジスターピン６ｄに嵌合するよう構成されている。ここで、「同寸法」とは、刷版７Ａ〜７Ｄの咥え側端部７ａの切り欠き部８ａがレジスターピン６ｄに隙間無く嵌め込まれる寸法を意味する。
【００２７】
このような咥え尻側端部７ｂの切り欠き部８ｂの開口幅Ｗ２は、任意に設定することが可能である。ただし、咥え尻側端部７ｂの切り欠き部８ｂの開口幅Ｗ２と、レジスターピン６ｄの幅及び咥え側端部７ａの切り欠き部８ａの開口幅Ｗ１との差が０．５ｍｍ未満であると、当該差が０．５ｍｍ以上に設定される場合と比較して、咥え尻側端部７ｂの切り欠き部８ｂがレジスターピン６ｄと干渉し易くなる。また、当該差が１．５ｍｍを超えると、当該差が１．５ｍｍ以下に設定される場合と比較して、版胴本体６に対する刷版７Ａ〜７Ｄの装着精度を維持することが困難となる。したがって、咥え尻側端部７ｂの切り欠き部８ｂの開口幅Ｗ２は、レジスターピン６ｄの幅及び咥え側端部７ａの切り欠き部８ａの開口幅Ｗ１よりも０．５ｍｍ〜１．５ｍｍ程度、例えば１ｍｍ程度大きい値に設定することが好ましい。例えば、レジスターピン６ｄの幅及び咥え側端部７ａの切り欠き部８ａの開口幅Ｗ１が８．５ｍｍに設定されている場合には、咥え尻側端部７ｂの切り欠き部８ｂの開口幅Ｗ２は、９．５ｍｍ程度の開口幅、すなわち、レジスターピン６ｄの両側部との間にそれぞれ０．５ｍｍ程度の隙間が形成される開口幅に設定することが可能である。
【００２８】
刷版締め付け機構５０は、４つの角変位軸（図示せず）が同軸となるように軸方向に沿って連結されることにより構成された係止バー部材（図示せず）と、係止バー部材の各角変位軸を独立して回転させる４つの操作機構（第１〜第４操作機構５２ａ〜５２ｄ）とを備える所謂ロックアップ式版締め装置である。４つの角変位軸は、それぞれ、新聞１頁の横方向の長さに略等しい軸方向の長さを有しており、刷版７Ａ〜７Ｄの咥え尻側端部７ｂがそれぞれ係止可能に構成されている。また、４つの角変位軸は、それぞれ異なる操作機構（第１〜第４操作機構５２ａ〜５２ｄ）と接続されており、接続された操作機構を操作することにより、軸を中心としてそれぞれ独立して刷版７Ａ〜７Ｄを牽引又は緩める方向に軸回転（角変位）するよう構成されている。第１〜第４操作機構５２ａ〜５２ｄは、図２に示すように、それぞれ、対応する角変位軸を操作するための操作レバー５４を備えており、操作レバー５４が操作されることにより、刷版７Ａ〜７Ｄを版胴本体６の外周面上に締め付ける装着位置と、係止バー部材と刷版７Ａ〜７Ｄの咥え尻側端部７ｂとの係合が解除される解除位置との間において、対応する角変位軸を角変位させるよう構成されている。なお、本実施形態に係るオフセット輪転印刷機において、刷版締め付け機構５０は、種々の公知のものを任意に用いることができるため、その詳細な説明を省略する。
【００２９】
刷版自動着脱装置１０は、図１に示すように、版胴２が後述する版掛位置（刷版装着溝６ｂの咥え側エッジ部に刷版７Ａ〜７Ｄの咥え側端部７ａを係止させることが可能となる位置）に停止した状態における、刷版装着溝６ｂと整合する位置に設けられており、版胴２に対して刷版７Ａ〜７Ｄを自動で装着させることが可能で、かつ、版胴２から刷版７Ａ〜７Ｄを自動で取り外すことが可能に構成されている。
【００３０】
具体的には、刷版自動着脱装置１０は、図２に示すように、左右一対のブラケット１４を介して一対のフレームＦ，Ｆ間に懸架された固定ベース部材１２と、版胴２に対して進退可能な状態で固定ベース部材１２に取り付けられた複数（本実施形態では４つ）の刷版押さえ機構２０ａ〜２０ｄ及び刷版着脱操作機構３０ａ〜３０ｄと、固定ベース部材１２の前面を覆うように取り付けられた前部カバー１６（図４及び図５参照）とを備えている。
【００３１】
刷版押さえ機構２０ａ〜２０ｄは、図２に示すように、それぞれ、固定ベース部材１２の上面部の内面（下面）に取り付けられたエアーシリンダー２２と、エアーシリンダー２２のシリンダーロッド２３の先端に取り付けられた可動ベース部材２４と、可動ベース部材２４に固定されたガードブラケット２６（図４及び図５参照）と、ガードブラケット２６に取り付けられたガード部材２７（図４及び図５参照）と、可動ベース部材２４に取り付けられた複数の押さえコロ部材２８ａ，２８ｂとを備えている。刷版押さえ機構２０ａ〜２０ｄは、刷版７Ａ〜７Ｄと１対１で対応するように設けられており、それぞれ独立して動作可能に構成されている。
【００３２】
可動ベース部材２４は、図２に示すように、各刷版７Ａ〜７Ｄの横方向の長さと略等しい長さを有する長尺な薄板部材からなり、シリンダーロッド２３の進退に伴って、版胴２に対して接近又は離間するよう構成されている。各可動ベース部材２４の下面には、図４及び図５に示すように、その前端縁部に、下方に向けて突出するようにガードブラケット２６が取り付けられると共に、ガードブラケット２６よりも後方側の領域に、複数の押さえコロ部材２８ａ，２８ｂが取り付けられている。各可動ベース部材２４の上面には、固定ベース部材１２の背面部の内面（正面）に固定されたリニアブッシュ１３ａにガイドされるシャフト１３ｂが設けられている。
【００３３】
ガードブラケット２６は、版胴本体６に対する刷版７Ａ〜７Ｄの着脱時に、誤って指等を版胴２と押さえコロ部材２８ａ，２８ｂとの間に巻き込まないようにするためのフィンガーガードとして機能するよう構成されている。ガード部材２７は、ガードブラケット２６よりも柔軟な材料、例えばポリアミド等の樹脂材料等から形成されており、版胴本体６に対する刷版７Ａ〜７Ｄの着脱時に、ガードブラケット２６に刷版７Ａ〜７Ｄが直接接触して損傷しないようにするためのガードとして機能するよう構成されている。
【００３４】
複数の押さえコロ部材２８ａ，２８ｂは、図２に示すように、可動ベース部材２４の長手方向の略中央に配された１つの中央押さえコロ部材２８ａと、中央押さえコロ部材２８ａを中心として長手方向に離間して配された２つの周辺押さえコロ部材２８ｂとから構成されている。中央押さえコロ部材２８ａ及び周辺押さえコロ部材２８ｂは、互いに等しい径を有しており、可動ベース部材２４が版胴２の周面に接近した状態（前進位置）において、均一な押さえ付け力で版胴本体６の周面に刷版７Ａ〜７Ｄを押さえ付けることが可能に構成されている。２つの周辺押さえコロ部材２８ｂは、図４及び図５に示すように、互いに回転軸が同軸となるよう、版胴２の軸方向に沿って整列して配置されている。一方、中央押さえコロ部材２８ａは、２つの周辺押さえコロ部材２８ｂよりも、版胴２の順方向の上流側に微小距離ｘ（例えば、１〜５ｍｍ）だけ位置をずらして配されている。なお、押さえコロ部材２８ａ，２８ｂとしては、例えば、直径２５ｍｍの円筒状のウレタン製ローラーを好適に用いることができるが、これに限定されるものではない。また、中央押さえコロ部材２８ａ及び周辺押さえコロ部材２８ｂの位置及び数は、必要に応じて、任意の数及び位置に変更することが可能である。
【００３５】
本実施形態に係る刷版押さえ機構２０ａ〜２０ｄは、以上の構成を備えることにより、例えば図４及び図５に示すように、版胴本体６に対する刷版７Ａ〜７Ｄの装着時において、刷版装着溝６ｂの咥え側エッジ部に刷版７Ａ〜７Ｄの咥え側端部７ａが係止された状態で順方向に回転する版胴本体６に対して、複数の押さえコロ部材２８ａ，２８ｂによって刷版７Ａ〜７Ｄを押し付けるよう構成されている。この際、本実施形態に係る刷版押さえ機構２０ａ〜２０ｄでは、中央押さえコロ部材２８ａが周辺押さえコロ部材２８ｂよりも版胴２の順方向の上流側に位置をずらして配されていることにより、周辺押さえコロ部材２８ｂに先行して、中央押さえコロ部材２８ａによって刷版７Ａ〜７Ｄの横方向の略中央部を押圧することが可能となる。これにより、中央押さえコロ部材２８ａ及び周辺押さえコロ部材２８ｂによって均一な押さえ付け力で版胴本体６の周面に刷版７Ａ〜７Ｄを押さえ付けた状態において、中央押さえコロ部材２８ａから各周辺押さえコロ部材２８ｂに向かう方向、すなわち、刷版７Ａ〜７Ｄの横方向の中央部から両端部に向かう方向に向けて刷版７Ａ〜７Ｄに押さえ付け力を付与することが可能となるため、刷版７Ａ〜７Ｄの装着精度を向上させることが可能となる。
【００３６】
また、本実施形態に係る刷版押さえ機構２０ａ〜２０ｄは、例えば図５（ｃ）に示すように、刷版装着溝６ｂに到達した刷版７Ａ〜７Ｄの咥え尻側端部７ｂを中央押さえコロ部材２８ａによって刷版装着溝６ｂに押し込むことで、咥え尻側端部７ｂに形成された切り欠き部８ｂをレジスターピン６ｄに嵌合させるよう構成されている。この際、本実施形態に係る刷版押さえ機構２０ａ〜２０ｄでは、上述のとおり、周辺押さえコロ部材２８ｂに先行して、中央押さえコロ部材２８ａによって刷版７Ａ〜７Ｄの横方向の略中央部を押圧するよう構成されているため、中央押さえコロ部材２８ａによって刷版７Ａ〜７Ｄの咥え尻側端部７ｂの近傍を刷版装着溝６ｂに向けて押圧し、版胴本体６のレジスターピン６ｄに対する咥え尻側端部７ｂの嵌合をスムーズかつ確実に行うことが可能となる。
【００３７】
さらに、本実施形態に係る刷版押さえ機構２０ａ〜２０ｄは、版胴本体６からの刷版７Ａ〜７Ｄの取り外し時においても、刷版装着溝６ｂの咥え側エッジ部に刷版７Ａ〜７Ｄの咥え側端部７ａが係止された状態で逆方向に回転する版胴本体６に対して、複数の押さえコロ部材２８ａ，２８ｂによって刷版７Ａ〜７Ｄを押し付け、刷版７Ａ〜７Ｄのばたつきを抑制するよう構成されている。
【００３８】
刷版着脱操作機構３０ａ〜３０ｄは、図２に示すように、第１〜第４操作機構５２ａ〜５２ｄと整合する位置にブラケット３２を介してそれぞれ１つずつ設けられている。刷版着脱操作機構３０ａ〜３０ｄは、それぞれ、ブラケット３２に取り付けられたエアーシリンダー３４と、エアーシリンダー３４のシリンダーロッド３６の先端に取り付けられたレバー押圧部材３８とを備えており、シリンダーロッド３６の進退動作によってレバー押圧部材３８を版胴２に対して進退移動させるよう構成されている。
【００３９】
刷版着脱操作機構３０ａ〜３０ｄは、図６に示すように、刷版装着溝６ｂの咥え側エッジ部に刷版７Ａ〜７Ｄの咥え側端部７ａが係止され、刷版装着溝６ｂ内に咥え尻側端部７ｂが押し込まれた状態の版胴２に対してレバー押圧部材３８が前進し、対応する操作機構（第１〜第４操作機構５２ａ〜５２ｄ）の操作レバー５４の先端部側を下方（版胴２の径方向内側）に押し下げることにより、対応する角変位軸を締め付け方向に回転させ、版胴２の周面に刷版７Ａ〜７Ｄを自動で装着させるよう構成されている。
【００４０】
また、刷版着脱操作機構３０ａ〜３０ｄは、図７に示すように、刷版７Ａ〜７Ｄが装着された状態の版胴２に対してレバー押圧部材３８が前進し、対応する操作機構（第１〜第４操作機構５２ａ〜５２ｄ）の操作レバー５４の基端部側を下方（版胴２の径方向内側）に押し下げることにより、操作レバー５４のロックを解除し、ロックが解除された角変位軸を締め付け方向とは反対の方向に回転させ、これにより、刷版締め付け機構５０の係止バー部材と刷版７Ａ〜７Ｄの咥え尻側端部７ｂとの係合を解除するよう構成されている。
【００４１】
印刷制御部は、本実施形態ではＰＬＣ（Ｐｒｏｇｒａｍｍａｂｌｅ  Ｌｏｇｉｃ  Ｃｏｎｔｒｏｌｌｅｒ）であり、版胴２の回転制御と、刷版押さえ機構２０ａ〜２０ｄ及び刷版着脱操作機構３０ａ〜３０ｄの動作制御とを含む、種々の印刷制御を実行可能に構成されている。具体的には、印刷制御部は、エンコーダー等の回転位置検出器により検出された版胴２の回転動作の情報（回転速度や回転位置等）に基づき、版胴２を各刷版着脱工程における所定の停止位置に正確に停止させるよう構成されている。また、印刷制御部は、版胴２の回転動作の情報に基づいて、版胴２の回転動作に合わせて、各刷版押さえ機構２０ａ〜２０ｄ及び各刷版着脱操作機構３０ａ〜３０ｄを適宜のタイミングで独立して動作させるよう構成されている。
【００４２】
下段印刷ユニット１ｂの一対のフレームＦ，Ｆ間には、図１に示すように、版掛位置釦（図示せず）と、版掛準備釦（図示せず）と、版掛釦（図示せず）と、版取外釦（図示せず）とが配された操作部９が設けられている。印刷制御部は、これらの釦が作業者によって押下されるか、又は、設定入力部から実行指示を受け付けた際に、版胴２及び刷版自動着脱装置１０を自動で動作させることにより、版胴本体６に対して任意の刷版７Ａ〜７Ｄを自動で装着及び脱離させる（取り外す）ことが可能に構成されている。また、操作部９には、上段印刷ユニット１ａ及び下段印刷ユニット１ｂにそれぞれ設けられている各刷版押さえ機構２０ａ〜２０ｄ及び各刷版着脱操作機構３０ａ〜３０ｄの中から動作させる刷版押さえ機構２０ａ〜２０ｄ及び刷版着脱操作機構３０ａ〜３０ｄを選択するための面選択釦（図示せず）が更に配されている。
【００４３】
次に、本実施形態に係る刷版自動着脱装置１０を用いて版胴本体６に対して刷版７Ａ〜７Ｄを自動で着脱させる方法について、説明する。
【００４４】
まず、作業者によって操作部９の版掛位置釦が押下されることで、版胴本体６が版掛位置まで順方向に回転し、停止する。この状態において、図４（ａ）に示すように、作業者によって、刷版装着溝６ｂの咥え側エッジ部に刷版７Ａ〜７Ｄの咥え側端部７ａが係止される（版掛準備工程）。次に、作業者によって版掛準備釦が押下されることで、図４（ｂ）に示すように、「脱」状態となっている刷版押さえ機構２０ａ〜２０ｄが版胴本体６に対して前進し、複数の押さえコロ部材２８ａ，２８ｂによって版胴本体６の周面に刷版７Ａ〜７Ｄを押さえ付ける（刷版押さえ機構前進工程）。その後、作業者によって版掛釦が押下されることで、図５（ａ）〜図５（ｃ）に示すように、版胴本体６が締め付け位置（操作レバー５４の先端部がレバー押圧部材３８の突出部と整合する位置）まで順方向に略１回転する（版掛工程）。これにより、版胴本体６の外周面に刷版７Ａ〜７Ｄが密着して巻き付けられると共に、中央押さえコロ部材２８ａによって刷版７Ａ〜７Ｄの咥え尻側端部７ｂが刷版装着溝６ｂに押し込まれ、咥え尻側端部７ｂの切り欠き部８ｂがレジスターピン６ｄに嵌合される。そして、版胴本体６が締め付け位置にて停止した後に、図６（ａ）及び図６（ｂ）に示すように、刷版着脱操作機構３０ａ〜３０ｄが版胴本体６に対して前進し、レバー押圧部材３８の突出部によって版胴２の刷版締め付け機構５０の操作レバー５４の先端部が押し下げられる（版装着工程）。これにより、対応する角変位軸が締めつけ方向に回転し、刷版７Ａ〜７Ｄの咥え尻側端部７ｂが版胴２の内部に引き込まれることで、版胴本体６の外周面に刷版７Ａ〜７Ｄが自動で装着される。版胴本体６に対する刷版７Ａ〜７Ｄの装着が完了した後に、刷版押さえ機構２０ａ〜２０ｄ及び刷版着脱操作機構３０ａ〜３０ｄが版胴２から後退する（刷版自動着脱装置後退工程）。これにより、刷版７Ａ〜７Ｄの装着に関する刷版自動着脱装置１０の一連の動作が終了する。
【００４５】
そして、所定の印刷が完了した後に、作業者によって版取外釦が押下されるか、設定入力部を介して実行指示が出力されることで、版替えの対象となる刷版７Ａ〜７Ｄのみを版胴本体６から自動で取り外す処理が実行される。具体的には、まず、版胴本体６が咥え尻取り外し位置（操作レバー５４の基端部がレバー押圧部材３８の突出部と整合する位置）に到達するまで順方向に回転する。また、版胴本体６が咥え尻取り外し位置にて停止した後に、刷版自動着脱装置１０の刷版押さえ機構２０ａ〜２０ｄが版胴本体６に対して前進し、複数の押さえコロ部材２８ａ，２８ｂによって版胴本体６の外周面に刷版７Ａ〜７Ｄを押さえ付ける（刷版押さえ機構前進工程）。そして、刷版押さえ機構２０ａ〜２０ｄが前進した後に、図７（ａ）及び図７（ｂ）に示すように、版替えの対象となる刷版７Ａ〜７Ｄに対応する刷版着脱操作機構３０ａ〜３０ｄのみが版胴本体６に対して前進し、レバー押圧部材３８の突出部によって刷版締め付け機構５０の操作レバー５４の基端部が押し下げられる（ロック解除工程）。これにより、操作レバー５４のロックが解除され、対応する角変位軸が締めつけ方向とは反対の方向に回転することで、係止バー部材と版替えの対象となる刷版７Ａ〜７Ｄの咥え尻側端部７ｂとの係合が解除される。そして、係止バー部材と咥え尻側端部７ｂとの係合が解除された後に、前進していた刷版着脱操作機構３０ａ〜３０ｄが版胴２から後退し（刷版着脱操作機構後退工程）、版胴本体６が咥え取り外し位置（刷版装着溝６ｂの咥え側エッジ部から刷版７Ａ〜７Ｄの咥え側端部７ａを取り外すことが可能となる位置）に到達するまで逆方向に回転する（逆方向回転工程）。また、版胴２が咥え取り外し位置にて停止した後に、版替えの対象となる刷版７Ａ〜７Ｄに対応する刷版押さえ機構２０ａ〜２０ｄのみが版胴本体６から後退する（刷版押さえ機構後退工程）。これにより、作業者が刷版装着溝６ｂの咥え側エッジ部から版替えの対象となる刷版７Ａ〜７Ｄの咥え側端部７ａを取り外すことが可能となり、刷版７Ａ〜７Ｄの取り外しに関する刷版自動着脱装置１０の一連の動作が終了する。
【００４６】
以上説明したとおり、本実施形態に係る刷版７Ａ〜７Ｄは、咥え側端部７ａの切り欠き部８ａが、レジスターピン６ｄの幅と同寸法の開口幅Ｗ１を有し、咥え尻側端部７ｂの切り欠き部８ｂが、レジスターピン６ｄの幅及び咥え側端部７ａの切り欠き部８ａの開口幅Ｗ１よりも広い開口幅Ｗ２を有している。
【００４７】
このような構成を有する刷版７Ａ〜７Ｄによれば、咥え尻側端部７ｂの切り欠き部８ｂのみを意図的に幅広に形成することにより、刷版自動着脱装置１０によって版胴本体６に刷版７Ａ〜７Ｄを装着させる場合においても、版胴本体６に対する刷版７Ａ〜７Ｄの装着精度を維持しつつ、刷版７Ａ〜７Ｄの破損を防止することが可能となる。
【００４８】
すなわち、本実施形態に係る刷版７Ａ〜７Ｄでは、咥え尻側端部７ｂの切り欠き部８ｂを幅広に形成することにより、咥え尻側端部７ｂの切り欠き部８ｂとレジスターピン６ｄとの位置が僅かにずれた場合であっても、レジスターピン６ｄに干渉することなく、咥え尻側端部７ｂの切り欠き部８ｂをレジスターピン６ｄに係合させることが可能となる。これにより、咥え尻側端部７ｂの切り欠き部８ｂがレジスターピン６ｄの幅と同寸法に形成されている従来の刷版１１０と比較して、咥え尻側端部１１４の破損や版切れを防止することが可能となると共に、刷版１１０の装着不良に伴う見当精度不良を防止することが可能となる。
【００４９】
また、本実施形態に係る刷版７Ａ〜７Ｄでは、咥え側端部７ａの切り欠き部８ａについては幅広に形成せず、レジスターピン６ｄの幅と同寸法の開口幅Ｗ１に形成することにより、咥え側端部７ａの切り欠き部８ａにおいて正確に位置決めを行うことが可能となるため、咥え側端部７ａの切り欠き部８ａと咥え尻側端部７ｂの切り欠き部８ｂとの双方を幅広に形成した場合と比較して、版胴本体６に対して刷版７Ａ〜７Ｄが斜めに巻き付いてしまう現象や印刷稼働時におけるガタツキを防止し、版胴本体６に対する装着精度を維持することが可能となる。
【００５０】
以上、本発明の好適な実施形態について説明したが、本発明の技術的範囲は、上述した実施形態に記載の範囲には限定されない。上記各実施形態には、多様な変更又は改良を加えることが可能である。
【００５１】
例えば、上述した実施形態における説明では、版胴２が、所謂４（Ｗ）×１（Ｌ）型の版胴であるものとして説明したが、これに限定されず、例えば所謂４（Ｗ）×２（Ｌ）型の版胴等、種々の版胴を用いることが可能である。また、刷版７Ａ〜７Ｄが、新聞１頁に相当する大きさを有し、版胴２の軸方向に沿って４枚並べて装着されるものとして説明したが、これに限定されず、例えば新聞２頁に相当する大きさを有する刷版等、種々の刷版を用いることが可能である。
【００５２】
刷版締め付け機構５０は、上述した実施形態に係る構成に限定されず、種々の任意の構成を採用することが可能である。また、刷版自動着脱装置１０は、上述した実施形態に係る構成に限定されず、版胴本体６に対して刷版７Ａ〜７Ｄを自動で着脱させることが可能な構成であれば、種々の任意の構成を採用することが可能である。
【００５３】
上述した実施形態では、刷版押さえ機構２０ａ〜２０ｄが刷版７Ａ〜７Ｄと１対１となるよう設けられるものとして説明したが、これに限定されず、例えば、複数の刷版に対して１つの刷版押さえ機構が設けられる構成や、１つの刷版に対して複数の刷版押さえ機構が設けられる構成であっても良い。
【００５４】
上述した実施形態では、版取外釦が押下された際、又は、設定入力部から実行指示を受け付けた際に、版胴２及び刷版自動着脱装置１０に版外し動作を実行させるものとして説明したが、これに限定されず、印刷作業の完了時に、プリセットされた版替え情報に基づいて版胴２及び刷版自動着脱装置１０が自動で作動し、版替えの対象となる刷版７Ａ〜７Ｄを版胴本体６から取り外す処理が実行される構成としても良いし、印刷作業の完了時に全ての刷版７Ａ〜７Ｄが自動で取り外される構成としても良い。
【００５５】
上記のような変形例が本発明の範囲に含まれることは、特許請求の範囲の記載から明らかである。
【符号の説明】
【００５６】
１ａ，１ｂ  印刷ユニット、２  版胴、３  ブランケット胴、４  インキ供給装置、６  版胴本体、６ｂ  刷版装着溝、６ｄ  レジスターピン、７Ａ〜７Ｄ  刷版、７ａ  咥え側端部、７ｂ  咥え尻側端部、８ａ  咥え側端部の切り欠き部、８ｂ  咥え尻側端部の切り欠き部、１０  刷版自動着脱装置、５０  刷版締め付け機構、Ｗ１  咥え側端部の切り欠き部の開口幅、Ｗ２  咥え尻側端部の切り欠き部の開口幅
【図１】
2018187781.tif 000003
【図２】
2018187781.tif 000004
【図３】
2018187781.tif 000005
【図４】
2018187781.tif 000006
【図５】
2018187781.tif 000007
【図６】
2018187781.tif 000008
【図７】
2018187781.tif 000009
【図８】
2018187781.tif 000010
【図９】
2018187781.tif 000011
【図１０】
2018187781.tif 000012